(57)【要約】【課題】脚立の転倒を確実に防止するとともに、階段等の傾斜地にも設置することができる脚立を提供する。【解決手段】本脚立は、２本の縦材２，２と当該縦材２，２間に架設された複数の横桟３…とからなる一対の梯子部１，１の頂部同士が枢支連結された折り畳み式の脚立であって、各縦材２の側面部には、縦材２に沿って筒状の収納部５，６が並設され、上方に伸び出る上方突っ張り部材７が収納部５内に、下方に伸び出る下方突っ張り部材８が収納部６内にそれぞれ収納される。対向する上方突っ張り部材７，７が上方で交差するように、上方突っ張り部材７と下方突っ張り部材８は、対向する縦材２，２で配置が逆になっており、上方突っ張り部材７の上端部には、構造物のスラブや梁などに下から当接して押圧する押圧部９がピン１１で接続され、下方突っ張り部材８の下端部には、床面に上から当接して押圧する押圧部１０がピン１２で接続されている。【選択図】図１
2008297778.tif 000002
【特許請求の範囲】
【請求項１】
２本の縦材と当該縦材間に架設された複数の横桟とからなる一対の梯子部の頂部同士が枢支連結された脚立において、
上端部が押圧部とされ、上方に伸び出る上方突っ張り部材と、下端部が押圧部とされ、下方に伸び出る下方突っ張り部材とが、前記各縦材に備え付けられていることを特徴とする脚立。
【請求項２】
前記下方突っ張り部材の押圧部に、高さ調節部材が装着されていることを特徴とする請求項１に記載の脚立。
【発明の詳細な説明】
【技術分野】
【０００１】
本発明は、屋内の高所作業において使用される脚立に関する。
【背景技術】
【０００２】
屋内工事等で高所作業する場合、２本の縦材と縦材間に架設された複数の横桟とからなる一対の梯子部を頂部で開閉自在に連結した折り畳み式の脚立が使用されることが多い。脚立を使用する際は、一対の梯子部を所定角度で開いた状態で作業場所に設置し、梯子部を上って横桟に足を乗せた状態で高所作業を行うことになる。
【０００３】
このような脚立の作業性を改善するため、特許文献１では、踏み板と蹴り上げ板とからなる階段部が一方の梯子部に設けられた脚立に関する発明が開示されている。特許文献１によれば、梯子部に階段部を備えているので、作業者は安定した姿勢で、足を踏み外すことなく、また階段部に作業具や材料等を置いて作業することができ、作業者の負担が少なく長時間の作業が可能であるとしている。
また、特許文献２では、対をなす伸縮式脚立部材（梯子部）の頂部同士が枢支連結されるとともに、各伸縮式脚立部材が、摺動可能に連接された径の徐々に異なる複数のパイプからなる一対の支柱（縦材）と、支柱間に取付けられた横桟部材と、パイプ同士を伸長状態でロックすることができる解除機能付きロック機構とを具備する伸縮式脚立の発明が開示されている。特許文献２によれば、高所作業において作業高さが変わる場合であっても、伸縮式脚立部材を伸縮させて踏み台を所定の高さ位置にした後、解除機能付きロック機構によって同位置に確実にロックすることができ、作業者は容易かつ安全に各種作業を行うことができるとしている。
【特許文献１】特開２００６−３１２８６７号公報
【特許文献２】特開平１０−８８９４９号公報
【発明の開示】
【発明が解決しようとする課題】
【０００４】
しかしながら、従来の脚立（特許文献１および特許文献２に記載された脚立を含む。）の場合、脚立の上で作業する作業者の重心移動によって脚立自体が横倒れするおそれがあり、脚立が高くなればなるほど、その危険性は増大する。また、従来の脚立の場合、階段等の傾斜地に設置できないため、作業用の足場を組まなければならないという問題がある。
【０００５】
本発明は、上述する問題点に鑑みてなされたもので、脚立の転倒を確実に防止するとともに、階段等の傾斜地にも設置することができる脚立を提供することを目的とする。
【課題を解決するための手段】
【０００６】
上記目的を達成するため、本発明は、２本の縦材と当該縦材間に架設された複数の横桟とからなる一対の梯子部の頂部同士が枢支連結された脚立において、上端部が押圧部とされ、上方に伸び出る上方突っ張り部材と、下端部が押圧部とされ、下方に伸び出る下方突っ張り部材とが、前記各縦材に備え付けられていることを特徴としている。
本発明では、上方に伸び出る上方突っ張り部材で構造物のスラブや梁などを下から押圧するとともに、下方に伸び出る下方突っ張り部材で床面を上から押圧することにより、側面視Ｘ状に配された上方突っ張り部材および下方突っ張り部材で脚立に作用する横力に抵抗し、脚立の動きを拘束する。これにより、脚立上で作業者の重心が移動しても、脚立が横倒れすることなく、作業者は脚立上で安全に作業をすることができる。
また、上方突っ張り部材で階段の段裏を下から押圧するとともに、下方突っ張り部材で階段の踏み面を上から押圧することにより、階段部分に脚立を設置することが可能となり、階段部分における高所作業を容易に行うことができる。
【０００７】
また、本発明に係る脚立では、前記下方突っ張り部材の押圧部に、高さ調節部材が装着されていることが好ましい。
本発明では、高さ調節部材を用いて下方突っ張り部材の長さを調節できるので、突っ張り部材と被押圧物との間に隙間が発生せず、上方突っ張り部材および下方突っ張り部材で脚立を確実に支持することができる。
【発明の効果】
【０００８】
本発明に係る脚立では、上端部が押圧部とされ、上方に伸び出る上方突っ張り部材と、下端部が押圧部とされ、下方に伸び出る下方突っ張り部材とが、各縦材に備え付けられているので、上方突っ張り部材で構造物のスラブや梁などを下から押圧するとともに、下方突っ張り部材で床面を上から押圧することにより、脚立の動きを拘束することができる。これにより、脚立上で作業者の重心が移動しても、脚立が横倒れすることなく、作業者は脚立上で安全に作業をすることができる。
また、上方突っ張り部材で階段の段裏を下から押圧するとともに、下方突っ張り部材で階段の踏み面を上から押圧することにより、階段部分に脚立を設置することができるので、階段部分における高所作業を容易に行うことができる。
【発明を実施するための最良の形態】
【０００９】
以下、本発明の実施形態について図面に基づいて説明する。なお、以下の説明では、便宜上、梯子部に面する側を脚立の「正面」、梯子部の側面側を脚立の「側面」と呼ぶことにする。
【００１０】
図１および図２に本発明に係る脚立の斜視図を示す。
本発明に係る脚立は、２本の縦材２，２と当該縦材２，２間に架設された複数の横桟３…とからなる一対の梯子部１，１の頂部同士が枢支連結された折り畳み式の脚立であって、一対の梯子部１，１の中間部は、２本の棒材をピン接合した開状態保持部材１４で連結され、一対の梯子部１，１が所定の角度以上に開かないようになっている。また、脚立の頂部には、踏み板４，４が取り付けられている。
【００１１】
各縦材２の側面部には、縦材２に沿って筒状の収納部５，６が並設されており、上方に伸び出る上方突っ張り部材７が収納部５内に、下方に伸び出る下方突っ張り部材８が収納部６内にそれぞれ収納される。この際、対向する上方突っ張り部材７，７が上方で交差するように、上方突っ張り部材７と下方突っ張り部材８は、対向する縦材２，２で配置が逆になっている。
【００１２】
また、上方突っ張り部材７の上端部には、構造物のスラブや梁などに下から当接して押圧する押圧部９がピン１１で接続され、下方突っ張り部材８の下端部には、床面に上から当接して押圧する押圧部１０がピン１２で接続されている。
特に、下方突っ張り部材８の下端部に接続される押圧部１０については、図３に示すような高さ調節部材１３が装着されている。高さ調節部材１３は、押圧部１０に形成された雌ねじ部（図示省略）に螺合する高さ調節ねじ１３ａと、高さ調節ねじ１３ａの先端に固着された押圧板１３ｂとから構成され、高さ調節ねじ１３ａを回して、下方突っ張り部材８の長さを調節することにより、押圧板１３ｂを被押圧物に密着させることができる。
【００１３】
上方突っ張り部材７および下方突っ張り部材８には、それぞれ材軸方向に所定の間隔をあけて複数の貫通孔１５…が形成され、収納部５の上端部および収納部６の下端部には、それぞれ貫通孔１６が形成されている。上方突っ張り部材７および下方突っ張り部材８をロックする場合は、ロックピン１７を貫通孔１６を介して貫通孔１５に挿入すればよい。
なお、ロックピン１７は、紛失しないように、紐材１８を介して脚立に付設されている。
【００１４】
次に、本発明に係る脚立の使用方法について、階段部分に脚立を設置する場合を例にとり、図４を用いて説明する。
（１）一方の梯子部１の下方突っ張り部材８を下方に伸ばして、下方突っ張り部材８をロックピン１７でロックし、階段上に脚立を設置する。
（２）各縦材２に取り付けられている上方突っ張り部材７を上方に伸ばして、上方突っ張り部材７をロックピン１７でロックする。
（３）下方突っ張り部材８の押圧部１０に装着されている高さ調節ねじ１３ａを回して、上方突っ張り部材７の押圧部９を段裏Ｄに当接させ、上方突っ張り部材７および下方突っ張り部材８に材軸方向のプレストレスを導入する。
上方突っ張り部材７および下方突っ張り部材８によって拘束された脚立を側面から見た場合、上方突っ張り部材７および下方突っ張り部材８はＸ状となり、脚立に横力が作用しても、上方突っ張り部材７および下方突っ張り部材８でその力に抗することができる。
【００１５】
なお、上方突っ張り部材７には、安全ベルトのフックを引っ掛けるためのアイボルト等を取り付けておくことが望ましい。
【００１６】
本実施形態による脚立では、上端部が押圧部９とされ、上方に伸び出る上方突っ張り部材７と、下端部が押圧部１０とされ、下方に伸び出る下方突っ張り部材８とが、各縦材２に備え付けられているので、上方突っ張り部材７で構造物のスラブや梁などを下から押圧するとともに、下方突っ張り部材８で床面を上から押圧することにより、脚立の動きを拘束することができる。これにより、脚立上で作業者の重心が移動しても、脚立が横倒れすることなく、作業者は脚立上で安全に作業をすることができる。
また、上方突っ張り部材７で階段の段裏Ｄを下から押圧するとともに、下方突っ張り部材８で階段の踏み面Ｋを上から押圧することにより、階段部分に脚立を設置することができ、階段部分における高所作業を容易に行うことができる。
【００１７】
以上、本発明の実施形態について説明したが、本発明は上記の実施形態に限定されるものではなく、その趣旨を逸脱しない範囲で適宜変更可能である。例えば、上記の実施形態では、上方突っ張り部材および下方突っ張り部材が収納部から伸び出るようにしているが、上方突っ張り部材および下方突っ張り部材を、それぞれ摺動可能に連設された径の徐々に異なる複数のパイプから構成してもよい。また、下方突っ張り部材の押圧部に、高さ調節部材が装着されているが、下方突っ張り部材と上方突っ張り部材の両方の押圧部に、高さ調節部材が装着されていてもよい。要は、本発明において所期の機能が得られればよいのである。
【図面の簡単な説明】
【００１８】
【図１】本発明に係る脚立の斜視図であり、上方突っ張り部材および下方突っ張り部材をそれぞれ伸ばした状態を示したものである。
【図２】本発明に係る脚立の斜視図であり、上方突っ張り部材および下方突っ張り部材をそれぞれ縮めた状態を示したものである。
【図３】下方突っ張り部材下端部の側面図である。
【図４】本発明に係る脚立の使用方法を説明するための図である。
【符号の説明】
【００１９】
１  梯子部
２  縦材
３  横桟
４  踏み板
５，６  収納部
７  上方突っ張り部材
８  下方突っ張り部材
９，１０  押圧部
１１，１２  ピン
１３  高さ調節部材
１３ａ  高さ調節ねじ
１３ｂ  押圧板
１４  開状態保持部材
１５，１６  貫通孔
１７  ロックピン
１８  紐材
Ｋ  踏み面
Ｄ  段裏
【図１】
2008297778.tif 000003
【図２】
2008297778.tif 000004
【図３】
2008297778.tif 000005
【図４】
2008297778.tif 000006